(57)【要約】【課題】  薄型レンジフードにも適用でき、内面フードへの油脂分等の付着を抑制し、油脂分等が調理器上に滴下することを防止する。【解決手段】  内面フード１０が、開口部１６の周辺において、対向する整流板２０の上面と略平行をなす平行面部１１と、平行面部１１から連続して延設され、内面フード１０の外縁に向けて上方へ傾斜する上方傾斜面部１２と、上方傾斜面部１２から連続して延設され、内面フード１０の外縁に向けて下方へ傾斜する下方傾斜面部１３と、を備え、下方傾斜面部１３の下端は、整流板２０の周縁部２１とともに吸込間隙５を形成し、水平方向において、周縁部２１は、平行面部１１と上方傾斜面部１２との第一境界１４と、上方傾斜面部１２と下方傾斜面部１３との第二境界１５との間に位置するレンジフード。【選択図】  図３
2013195049.tif 000002
【特許請求の範囲】
【請求項１】
送風機への開口部を有し、フードの内面を覆う内面フードと、前記内面フードと周縁部との隙間により吸込間隙を形成する整流板とを備えるレンジフードであって、
前記内面フードは、
前記開口部の周辺において、対向する前記整流板の上面と略平行をなす平行面部と、
前記平行面部から連続して延設され、前記内面フードの外縁に向けて上方へ傾斜する上方傾斜面部と、
前記上方傾斜面部から連続して延設され、前記内面フードの外縁に向けて下方へ傾斜する下方傾斜面部と、
を備え、
前記下方傾斜面部の下端は、前記整流板の前記周縁部とともに前記吸込間隙を形成し、
水平方向において、前記周縁部は、前記平行面部と前記上方傾斜面部との第一境界と、前記上方傾斜面部と前記下方傾斜面部との第二境界との間に位置するレンジフード。
【請求項２】
前記整流板は、前記周縁部に立ち上がり部を備え、
前記立ち上がり部の上端から前記第二境界までの最短距離は、前記上端から前記第一境界までの最短距離より大きいことを特徴とする請求項１に記載のレンジフード。
【請求項３】
前記第一境界の鉛直下方に位置する前記整流板の上面を油受け部とすることを特徴とする請求項１または２に記載のレンジフード。
【請求項４】
前記上方傾斜面部と前記下方傾斜面部は、レンジフードの正面側および／または側面側のみに設けられることを特徴とする請求項１乃至３のいずれかに記載のレンジフード。
【発明の詳細な説明】
【技術分野】
【０００１】
本発明は、レンジフードに関し、特に、内面フードに特徴を有するレンジフードに関する。
【背景技術】
【０００２】
従来、調理器の上方に設けられ、調理により発生する水蒸気や油煙を捕集するレンジフードにおいては、清掃性やデザイン性を向上させるために、フード内面を覆う内面フードを設けることが行われている。（例えば、特許文献１）
【０００３】
しかし、従来からのかかる内面フードでは、整流板と内面フードとの間の隙間により形成される吸込間隙から吸入される水蒸気や油煙が、吸入された直後に空気の流れる方向が変わるため、内面フードに衝突する。そうすると、水蒸気や油煙は、吸込間隙付近の内面フードに付着し、レンジフードを長時間使用すると、付着した水分や油脂分が、内面フードの表面を流れて調理器上に滴下することがある。このような現象は、フードの厚さが薄いほど吸込間隙から急角度に空気の流れが変わるので、フードの厚さが薄い薄型のレンジフードで起こることが多い。
【０００４】
このような現象を回避するために、内面フード全体を傾斜させて設けることにより付着した水分や油脂分を一方向に流し、内面フードに設けた突出片（ビード）で流れてきた水分や油脂分を整流板の上面に積極的に滴下させていた。また、内面フード表面上であって、整流板の周縁部より空気の流れの下流側に突出片（ビード）を設けることにより、内面フードを伝って水分や油脂分が調理器上に滴下することを阻止しつつ、整流板の上面に積極的に滴下させていた。
【先行技術文献】
【特許文献】
【０００５】
【特許文献１】特開２０１１−９４８５０号公報
【発明の概要】
【発明が解決しようとする課題】
【０００６】
しかし、フードの厚さが薄いレンジフードの場合、内面フード全体を傾斜させることはスペースの要請から困難であり、また、内面フードに突出片（ビード）を設けることは空気の流れを乱すこととなり、レンジフードの基本性能である油煙の捕集性能を低下させることとなった。また、内面フードに突出片を設けると加工性が悪く、さらに見た目も悪いものであった。
【０００７】
そこで、本発明は、上記問題に鑑みてなされたものであり、本発明の目的とするところは、フードの厚さが薄いレンジフードにも適用することができ、内面フードと整流板の隙間から形成される吸込間隙から吸入された空気の流れの乱れを抑えることにより油煙の捕集性能を低下させない、さらには、内面フードへの水分や油脂分の付着を抑制し、仮に付着しても、水分や油脂分が調理器上に滴下することを防止する内面フードを備えた、美観も良いレンジフードを提供することである。
【課題を解決するための手段】
【０００８】
上記課題を解決するために、送風機への開口部を有し、フードの内面を覆う内面フードと、内面フードと周縁部との隙間により吸込間隙を形成する整流板とを備えるレンジフードであって、内面フードは、開口部の周辺において、対向する整流板の上面と略平行をなす平行面部と、平行面部から連続して延設され、内面フードの外縁に向けて上方へ傾斜する上方傾斜面部と、上方傾斜面部から連続して延設され、内面フードの外縁に向けて下方へ傾斜する下方傾斜面部と、を備え、下方傾斜面部の下端は、整流板の周縁部とともに吸込間隙を形成し、水平方向において、周縁部は、平行面部と上方傾斜面部との第一境界と、上方傾斜面部と下方傾斜面部との第二境界との間に位置するレンジフードが提供される。
これによれば、フードの厚さが薄いレンジフードにも適用することができ、内面フードと整流板の隙間から形成される吸込間隙から吸入された空気の流れの乱れを抑えることにより油煙の捕集性能を低下させない、さらには、内面フードへの水分や油脂分の付着を抑制し、水分や油脂分が調理器上に滴下することを防止する、美観も良いレンジフードを提供できる。
【０００９】
さらに、整流板は、周縁部に立ち上がり部を備え、立ち上がり部の上端から第二境界までの最短距離は、その上端から第一境界までの最短距離より大きいことを特徴としてもよい。
これによれば、内面フードと整流板の隙間から形成される吸込間隙から吸入された空気の流れが下方傾斜面部へ接触したり衝突したりする量を少なくし、逆に、上方傾斜面部へ接触したり衝突したりする量を多くすることができるため、下方傾斜面部への水分や油脂分の付着を抑制しかつ上方傾斜面部への付着を促進することができる。
【００１０】
さらに、第一境界の鉛直下方に位置する整流板の上面を油受け部とすることを特徴としてもよい。
これによれば、油受けと整流板を兼ねることができる。
【００１１】
さらに、上方傾斜面部と下方傾斜面部は、レンジフードの正面側および／または側面側のみに設けられることを特徴としてもよい。
これによれば、水分や油脂分が付着しやすい部分だけに設けることができる。
【発明の効果】
【００１２】
以上説明したように、本発明によれば、フードの厚さが薄いレンジフードにも適用することができ、内面フードと整流板の隙間から形成される吸込間隙から吸入された空気の流れの乱れを抑えることにより内面フードへの水分や油脂分の付着を抑制し、かつ、水分や油脂分が調理器上に滴下することを防止する、美観も良いレンジフードを提供できる。
【図面の簡単な説明】
【００１３】
【図１】本発明に係る第一実施例におけるレンジフードの六面図。（Ａ）正面図、（Ｂ）右側面図、（Ｃ）背面図、（Ｄ）平面図、（Ｅ）底面図、（Ｆ）断面図、（Ｇ）右下から見た斜視図。
【図２】本発明に係る第一実施例におけるレンジフードの、整流板を取り外した時の、（Ａ）底面図、（Ｂ）右下から見た斜視図。
【図３】本発明に係る第一実施例におけるレンジフードの、（Ａ）断面図、（Ｂ）正面側の拡大断面図、（Ｃ）背面側の拡大断面図。
【図４】本発明に係る第二実施例におけるレンジフードの正面側の拡大断面図。
【図５】本発明に係る第三実施例におけるレンジフードの正面側の拡大断面図。
【図６】本発明に係る第四実施例におけるレンジフードの正面側の拡大断面図。
【発明を実施するための形態】
【００１４】
以下では、図面を参照しながら、本発明に係る各実施例について説明する。
＜第一実施例＞
図１は、本発明に係る第一実施例におけるレンジフード１の正六面図等を示し、図２は、整流板２０を取り外した時のレンジフード１の底面図と右下から見た斜視図を示す。レンジフード１は、調理器の上方に設けられ、調理により発生する油煙や水蒸気などを含む空気を捕獲するための、薄型扁平のフード２をレンジフード１の下部に備える。
【００１５】
レンジフード１は、フード２の内側に、清掃性および美観を向上させる内面フード１０を備え、内面フード１０は、フードの内面を覆っている。内面フード１０の内周縁１７と整流板２０の周縁部２１との隙間は、下方から発生する油煙や水蒸気などを含む空気をフード２内に吸入するための吸込間隙５を形成する。フード２の上部にはファン６を有する送風機７が設けられ、その送風機７の吸込み口が、フード２の上面の開口部および内面フード１０の開口部１６と一致して設けられる。従って、開口部１６は、吸込間隙５から吸入した空気を送風機７へ流すこととなる。
【００１６】
そうすると、フード２により捕獲される空気は、送風機７が発生させる下方から上方への空気の流れに乗って、内面フード１０と整流板２０との間の吸込間隙５から吸い込まれ、吸い込まれた空気は、整流板２０と内面フード１０との間の空間を通り、開口部１６の周りに形成される内面フード１０の平行面部１１（図３において示す）に導かれ、開口部１６から送風機７の方へ向かう。送風機７の方へ向かった空気は、フィルターなどで油煙などを除去した後、送風機ボックス４の内部に形成され室外と連通したダクト３を通って室外などへ放出される。
【００１７】
内面フード１０と整流板２０の間の吸込間隙５は、整流板２０の四周に形成され、下方から上昇流に乗ってくる水蒸気や油脂分を捕集し易くなっている。また、本実施例では、背面側の吸込間隙５の幅（内面フード１０の内周縁１７と整流板２０の周縁部２１との距離）は、本実施例のように背面をキッチン壁面に接触させた状態で取り付けられるレンジフードにおいては、背面側にキッチン壁面があるため、フード前方からの吸込量を背面側よりも比較的多くした方が吸込みのバランスが良好になることから、他の吸込間隙５の幅より狭くなっているが、これに限定されず、すべて同じ幅であってもよい。
【００１８】
図３を参照して、内面フード１０と整流板２０についてさらに説明する。内面フード１０は、開口部１６の周辺において、整流板２０の上面とほぼ平行をなすように対向する平行面部１１を備える。これにより、吸込間隙５から吸入された空気の流れの乱れを抑え、空気の流れを円滑にする。
【００１９】
内面フード１０の開口部１６が位置する中央側から、吸込間隙５が位置する外縁側の方へ行くに従い、内面フード１０は、平行面部１１から連続して延設され、内面フード１０の外縁に向けて上方へ傾斜する上方傾斜面部１２を備える。換言すれば、上方傾斜面部１２は、平行面部１１から外縁へ向けて整流板２０の上面から離れるように形成される。上方傾斜面部１２の、第一境界１４と第二境界１５（後述）との中間部は、ほぼ平面で構成される。平行面部１１と上方傾斜面部１２との境界（第一境界１４）は、整流板２０の周縁部２１よりも水平方向において中央側に位置し、周縁部２１とほぼ平行をなすように形成される。また、第一境界１４は、折曲を以って明確に折れ曲がっているが、これに限定されず、平行面部１１（曲率が無限大）から大きな曲率を有するように形成され、明確な折曲を伴わない上方傾斜面部との境界であってもよい。
【００２０】
さらに、内面フード１０は、上方傾斜面部１２から連続して延設され、内面フード１０の外縁に向けて下方へ傾斜する下方傾斜面部１３を備える。換言すれば、下方傾斜面部１３は、上方傾斜面部１２から外縁へ向けて、垂直方向において、整流板２０の上面に近づくように形成される。上方傾斜面部１２と下方傾斜面部１３との境界（第二境界１５）は、整流板２０の周縁部２１よりも水平方向において外縁側に位置し、周縁部２１とほぼ平行をなすように形成される。また、第二境界１５は、折曲を以って明確に折れ曲がっているが、これに限定されず、第二境界において、上方傾斜面部の曲率と下方傾斜面部の曲率が同じであるように形成され、明確な折曲を伴わない境界であってもよい。第二境界１５は、換言すれば、垂直方向において、整流板２０から最も離れた位置にある。
【００２１】
内面フード１０の内周縁１７、即ち、下方傾斜面部１３の下端１７は、整流板２０の周縁部２１とともに吸込間隙５を形成する。さらに、内面フード１０は、整流板２０の下面と面一となるように、外縁側へ折れ曲がり、フード２の下面を形成する。
【００２２】
そうすると、レンジフード１においては、内面フード１０は、開口部１６の周辺において、対向する整流板２０の上面とほぼ平行をなす平行面部１１と、平行面部１１から連続して延設され、内面フード１０の外縁に向けて上方へ傾斜する上方傾斜面部１２と、上方傾斜面部１２から連続して延設され、内面フード１０の外縁に向けて下方へ傾斜する下方傾斜面部１３とを備え、下方傾斜面部１３の下端１７は、整流板２０の周縁部２１とともに吸込間隙５を形成し、水平方向において、周縁部２１は、平行面部１１と上方傾斜面部１２との第一境界１４と、上方傾斜面部１２と下方傾斜面部１３との第二境界１５との間に位置する。
【００２３】
これによれば、フード内面のデザイン性を向上させ、また、フードの厚さが薄いレンジフードにも適用することができ、内面フード１０と整流板２０の隙間から形成される吸込間隙５から吸入された空気の流れの乱れを抑えることにより内面フード１０への水分や油脂分の付着を抑制し、水分や油脂分が調理器上に滴下することを防止することができる。
【００２４】
なお、上方傾斜面部１２および下方傾斜面部１３の傾斜角度は適宜定められ、正面側、背面側、側面側で異なっていてもよいし、同じであってもよい。また、上方傾斜面部１２および下方傾斜面部１３は、レンジフード１の正面側および／または側面側のみに設けられてもよい。これによれば、水分や油脂分が付着しやすい部分だけに設けることができる。
【００２５】
また、整流板２０は、整流板２０の外縁をなす周縁部２１において、整流板２０からほぼ垂直に立ち上がる立ち上がり部２２を備える。この立ち上がり部２２の上端から第二境界１５までの最短距離（Ａ）は、その上端から第一境界１４までの最短距離（Ｂ）より大きいことが好ましい。これによれば、吸込間隙５から吸入された空気の流れが下方傾斜面部１３へ接触したり衝突したりする量を少なくすることができ、下方傾斜面部１３への水分や油脂分の付着量を減らすことができる。このため、吸込間隙５からの空気の吸入により、吸込間隙５周辺に付着する水分や油脂分を上方傾斜面部１２に集中させることができる。したがって、上方傾斜面部１２に付着した水分や油脂分を整流板２０の裏面側までその傾斜により案内することで、内面フード１０から調理器へと水分や油脂分が滴下することを効果的に防ぐことができる。
【００２６】
また、下方傾斜面部１３より上方傾斜面部１２に比較的多くの水分や油脂分が接触するので、長期間使用した結果、より多くの水分や油脂分が付着することがある。かかる場合、上方傾斜面部１２に付着した水分や油脂分は、上方傾斜面部１２の中央側への下り傾斜に従って、上方傾斜面部１２の最下点である第一境界１４に到達し、ここで水滴／油滴となって下方に積極的に滴下することとなる。従って、第一境界１４の鉛直下方に位置する整流板２０の上面を油受け部２３とすることが好ましい。これによれば、油受けと整流板を兼ねることができる。
【００２７】
＜第二実施例＞
図４を参照して、本発明に係る本実施例におけるレンジフード１Ａの内面フード１０Ａについて説明する。なお、第一実施例と同じ部分の説明は重複するので省略する。内面フード１０Ａは、中央側において、整流板２０の上面とほぼ平行をなすように対向する平行面部１１Ａを備える。これにより、吸込間隙５Ａから吸入された空気の流れの乱れを抑え、空気の流れを円滑にする。
【００２８】
内面フード１０Ａの開口部１６Ａ（図示せず）が位置する中央側から、吸込間隙５Ａが位置する外縁側の方へ行くに従い、内面フード１０Ａは、平行面部１１Ａから連続して延設され、内面フード１０Ａの外縁に向けて上方へ傾斜する上方傾斜面部１２Ａを備える。換言すれば、上方傾斜面部１２Ａは、平行面部１１Ａから外縁へ向けて整流板２０の上面から離れるように、上方に凸形状の曲面をもって形成される。なお、本実施例では、上方に凸形状であるがこれに限定されず、下方に凸形状の曲面であっても、平面であってもよい。平行面部１１Ａと上方傾斜面部１２Ａとの境界（第一境界１４Ａ）は、整流板２０の周縁部２１よりも水平方向において中央側に位置し、周縁部２１とほぼ平行をなすように形成される。また、第一境界１４Ａは、折曲を以って明確に折れ曲がる。
【００２９】
さらに、内面フード１０Ａは、上方傾斜面部１２Ａから連続して延設され、内面フード１０Ａの外縁に向けて下方へ傾斜するほぼ平面からなる下方傾斜面部１３Ａを備える。換言すれば、下方傾斜面部１３Ａは、上方傾斜面部１２Ａから外縁へ向けて、垂直方向において、整流板２０の上面に近づくような平面として形成される。なお、本実施例では、平面であるがこれに限定されず、上方または下方に凸形状の曲面であってもよい。上方傾斜面部１２Ａと下方傾斜面部１３Ａとの境界（第二境界１５Ａ）は、本実施例においては、整流板２０の周縁部２１よりも水平方向において外縁側に位置し、周縁部２１とほぼ平行をなすように形成される。また、第二境界１５Ａは、上方傾斜面部１２Ａのほぼフード２の下面と接するあたりで折曲を以って明確に折れ曲がって、上方傾斜面部１２Ａと下方傾斜面部１３Ａとの境界をなしている。第二境界１５Ａは、換言すれば、垂直方向において、整流板２０から最も離れた位置にある。
【００３０】
内面フード１０Ａの内周縁１７Ａ、即ち、下方傾斜面部１３Ａの下端１７Ａは、整流板２０の周縁部２１とともに吸込間隙５Ａを形成する。さらに、内面フード１０Ａは、整流板２０の下面と面一となるように、外縁側へ折れ曲がり、フード２の下面を形成する。
【００３１】
そうすると、レンジフード１Ａにおいては、内面フード１０Ａは、開口部１６Ａの周辺において、対向する整流板２０の上面とほぼ平行をなす平行面部１１Ａと、平行面部１１Ａから連続して延設され、内面フード１０Ａの外縁に向けて上方へ傾斜する上方傾斜面部１２Ａと、上方傾斜面部１２Ａから連続して延設され、内面フード１０Ａの外縁に向けて下方へ傾斜する下方傾斜面部１３Ａとを備え、下方傾斜面部１３Ａの下端１７Ａは、整流板２０の周縁部２１とともに吸込間隙５Ａを形成し、水平方向において、周縁部２１は、平行面部１１Ａと上方傾斜面部１２Ａとの第一境界１４Ａと、上方傾斜面部１２Ａと下方傾斜面部１３Ａとの第二境界１５Ａとの間に位置する。
【００３２】
これによれば、フード内面のデザイン性を向上させ、また、フードの厚さが薄いレンジフードにも適用することができ、内面フード１０Ａと整流板２０の隙間から形成される吸込間隙５Ａから吸入された空気の流れの乱れを抑えることにより内面フード１０Ａへの水分や油脂分の付着を抑制し、水分や油脂分が調理器上に滴下することを防止することができる。
【００３３】
また、立ち上がり部２２の上端から第二境界１５Ａまでの最短距離（Ａ）は、その上端から第一境界１４Ａまでの最短距離（Ｂ）より大きいことが好ましい。これによれば、吸込間隙５Ａから吸入された空気の流れが下方傾斜面部１３Ａへ接触したり衝突したりする量を少なくすることができ、下方傾斜面部１３Ａへの水分や油脂分の付着量を減らすことができる。このため、吸込間隙５Ａからの空気の吸入により、吸込間隙５Ａ周辺に付着する水分や油脂分を上方傾斜面部１２Ａに集中させることができる。したがって、上方傾斜面部１２Ａに付着した水分や油脂分を整流板２０の裏面側までその傾斜により案内することで、内面フード１０Ａから調理器へと水分や油脂分が滴下することを効果的に防ぐことができる。
【００３４】
＜第三実施例＞
図５を参照して、本発明に係る本実施例におけるレンジフード１Ｂの内面フード１０Ｂについて説明する。なお、第一実施例と同じ部分の説明は重複するので省略する。内面フード１０Ｂは、中央側において、整流板２０の上面とほぼ平行をなすように対向する平行面部１１Ｂを備える。これにより、吸込間隙５Ｂから吸入された空気の流れの乱れを抑え、空気の流れを円滑にする。
【００３５】
内面フード１０Ｂの開口部１６Ｂ（図示せず）が位置する中央側から、吸込間隙５Ｂが位置する外縁側の方へ行くに従い、内面フード１０Ｂは、平行面部１１Ｂから連続して延設され、内面フード１０Ｂの外縁に向けて上方へ傾斜する上方傾斜面部１２Ｂを備える。換言すれば、上方傾斜面部１２Ｂは、平行面部１１Ｂから外縁へ向けて整流板２０の上面から離れるように形成される。上方傾斜面部１２Ｂの中間部は、ほぼ平面で構成される。平行面部１１Ｂと上方傾斜面部１２Ｂとの境界（第一境界１４Ｂ）は、整流板２０の周縁部２１よりも水平方向において中央側に位置し、周縁部２１とほぼ平行をなすように形成される。また、第一境界１４Ｂは、折曲を以って明確に折れ曲がる。
【００３６】
さらに、内面フード１０Ｂは、上方傾斜面部１２Ｂから連続して延設され、内面フード１０Ｂの外縁に向けて下方へ傾斜する、上方へ凸形状の、ほぼ円の１／４の円弧からなる下方傾斜面部１３Ｂを備える。換言すれば、下方傾斜面部１３Ｂは、上方傾斜面部１２Ｂから外縁へ向けて、垂直方向において、整流板２０の上面に近づくような曲面として形成される。上方傾斜面部１２Ｂと下方傾斜面部１３Ｂとの境界（第二境界１５Ｂ）は、整流板２０の周縁部２１よりも水平方向において外縁側に位置し、周縁部２１とほぼ平行をなすように形成される。また、第二境界１５Ｂは、下方傾斜面部１３Ｂのほぼフード２の下面と接するあたりであって下方傾斜面部１３Ｂの曲面の接線がフード２の下面とほぼ平行になるあたりで、上方傾斜面部１２Ｂとの境界をなしている。第二境界１５Ｂは、換言すれば、垂直方向において、整流板２０から最も離れた位置にある。
【００３７】
内面フード１０Ｂの内周縁１７Ｂ、即ち、下方傾斜面部１３Ｂの下端１７Ｂは、整流板２０の周縁部２１とともに吸込間隙５Ｂを形成する。さらに、内面フード１０Ｂは、整流板２０の下面と面一となるように、外縁側へ折れ曲がり、フード２の下面を形成する。
【００３８】
そうすると、レンジフード１Ｂにおいては、内面フード１０Ｂは、開口部１６Ｂの周辺において、対向する整流板２０の上面とほぼ平行をなす平行面部１１Ｂと、平行面部１１Ｂから連続して延設され、内面フード１０Ｂの外縁に向けて上方へ傾斜する上方傾斜面部１２Ｂと、上方傾斜面部１２Ｂから連続して延設され、内面フード１０Ｂの外縁に向けて下方へ傾斜する下方傾斜面部１３Ｂとを備え、下方傾斜面部１３Ｂの下端１７Ｂは、整流板２０の周縁部２１とともに吸込間隙５Ｂを形成し、水平方向において、周縁部２１は、平行面部１１Ｂと上方傾斜面部１２Ｂとの第一境界１４Ｂと、上方傾斜面部１２Ｂと下方傾斜面部１３Ｂとの第二境界１５Ｂとの間に位置する。
【００３９】
これによれば、フード内面のデザイン性を向上させ、また、フードの厚さが薄いレンジフードにも適用することができ、内面フード１０Ｂと整流板２０の隙間から形成される吸込間隙５Ｂから吸入された空気の流れの乱れを抑えることにより内面フード１０Ｂへの水分や油脂分の付着を抑制し、水分や油脂分が調理器上に滴下することを防止することができる。
【００４０】
また、立ち上がり部２２の上端から第二境界１５Ｂまでの最短距離（Ａ）は、その上端から第一境界１４Ｂまでの最短距離（Ｂ）より大きいことが好ましい。これによれば、吸込間隙５Ｂから吸入された空気の流れが下方傾斜面部１３Ｂへ接触したり衝突したりする量を少なくすることができ、下方傾斜面部１３Ｂへの水分や油脂分の付着量を減らすことができる。このため、吸込間隙５Ｂからの空気の吸入により、吸込間隙５Ｂ周辺に付着する水分や油脂分を上方傾斜面部１２Ｂに集中させることができる。したがって、上方傾斜面部１２Ｂに付着した水分や油脂分を整流板２０の裏面側までその傾斜により案内することで、内面フード１０Ｂから調理器へと水分や油脂分が滴下することを効果的に防ぐことができる。
【００４１】
＜第四実施例＞
図６を参照して、本発明に係る本実施例におけるレンジフード１Ｃの内面フード１０Ｃについて説明する。なお、第一実施例と同じ部分の説明は重複するので省略する。内面フード１０Ｃは、中央側において、整流板２０の上面とほぼ平行をなすように対向する平行面部１１Ｃを備える。これにより、吸込間隙５Ｃから吸入された空気の流れの乱れを抑え、空気の流れを円滑にする。
【００４２】
内面フード１０Ｃの開口部１６Ｃ（図示せず）が位置する中央側から、吸込間隙５Ｃが位置する外縁側の方へ行くに従い、内面フード１０Ｃは、平行面部１１Ｃから連続して延設され、内面フード１０Ｃの外縁に向けて上方へ傾斜する上方傾斜面部１２Ｃを備える。換言すれば、上方傾斜面部１２Ｃは、平行面部１１Ｃから外縁へ向けて整流板２０の上面から離れるように、上方に凸の、ほぼ円弧の形状の曲面をもって形成される。平行面部１１Ｃと上方傾斜面部１２Ｃとの境界（第一境界１４Ｃ）は、整流板２０の周縁部２１よりも水平方向において中央側に位置し、周縁部２１とほぼ平行をなすように形成される。また、第一境界１４Ｃは、折曲を以って明確に折れ曲がる。
【００４３】
さらに、内面フード１０Ｃは、上方傾斜面部１２Ｃから連続して延設され、内面フード１０Ｃの外縁に向けて下方へ傾斜する、上方へ凸形状の、円のほぼ１／４の円弧からなる下方傾斜面部１３Ｃを備える。換言すれば、下方傾斜面部１３Ｃは、上方傾斜面部１２Ｃから外縁へ向けて、垂直方向において、整流板２０の上面に近づくような曲面として形成される。上方傾斜面部１２Ｃと下方傾斜面部１３Ｃの境界（第二境界１５Ｃ）は、整流板２０の周縁部２１よりも水平方向において外縁側に位置し、周縁部２１とほぼ平行をなすように形成される。また、第二境界１５Ｃは、下方傾斜面部１３Ｃのフード２の下面とほぼ接するあたりであって、上方傾斜面部１２Ｃおよび下方傾斜面部１３Ｃの曲面の接線がフード２の下面とほぼ平行になるあたりで、両者の境界をなしている。第二境界１５Ｂは、換言すれば、垂直方向において、整流板２０から最も離れた位置にある。
【００４４】
内面フード１０Ｃの内周縁１７Ｃ、即ち、下方傾斜面部１３Ｃの下端１７Ｃは、整流板２０の周縁部２１とともに吸込間隙５Ｃを形成する。さらに、内面フード１０Ｃは、整流板２０の下面と面一となるように、外縁側へ折れ曲がり、フード２の下面を形成する。
【００４５】
そうすると、レンジフード１Ｃにおいては、内面フード１０Ｃは、開口部１６Ｃの周辺において、対向する整流板２０の上面とほぼ平行をなす平行面部１１と、平行面部１１Ｃから連続して延設され、内面フード１０Ｃの外縁に向けて上方へ傾斜する上方傾斜面部１２Ｃと、上方傾斜面部１２Ｃから連続して延設され、内面フード１０Ｃの外縁に向けて下方へ傾斜する下方傾斜面部１３Ｃとを備え、下方傾斜面部１３Ｃの下端１７Ｃは、整流板２０の周縁部２１とともに吸込間隙５Ｃを形成し、水平方向において、周縁部２１は、平行面部１１Ｃと上方傾斜面部１２Ｃとの第一境界１４Ｃと、上方傾斜面部１２Ｃと下方傾斜面部１３Ｃとの第二境界１５Ｃとの間に位置する。
【００４６】
これによれば、フード内面のデザイン性を向上させ、また、フードの厚さが薄いレンジフードにも適用することができ、内面フード１０Ｃと整流板２０の隙間から形成される吸込間隙５Ｃから吸入された空気の流れの乱れを抑えることにより内面フード１０Ｃへの水分や油脂分の付着を抑制し、水分や油脂分が調理器上に滴下することを防止することができる。
【００４７】
また、立ち上がり部２２の上端から第二境界１５Ｃまでの最短距離（Ａ）は、その上端から第一境界１４Ｃまでの最短距離（Ｂ）より大きいことが好ましい。これによれば、吸込間隙５Ｃから吸入された空気の流れが下方傾斜面部１３Ｃへ接触したり衝突したりする量を少なくすることができ、下方傾斜面部１３Ｃへの水分や油脂分の付着量を減らすことができる。このため、吸込間隙５Ｃからの空気の吸入により、吸込間隙５Ｃ周辺に付着する水分や油脂分を上方傾斜面部１２Ｃに集中させることができる。したがって、上方傾斜面部１２Ｃに付着した水分や油脂分を整流板２０の裏面側までその傾斜により案内することで、内面フード１０Ｃから調理器へと水分や油脂分が滴下することを効果的に防ぐことができる。
【００４８】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００４９】
１      レンジフード
２      フード
３      排気口
４      送風機ボックス
５      吸入間隙
６      ファン
７      送風機
１０      内面フード
１１      平行面部
１２      上方傾斜面部
１３      下方傾斜面部
１４      第一境界
１５      第二境界
１６      開口部
１７      内面フードの内周縁、または下方傾斜面部の下端
２０      整流板
２１      周縁部
２２      立ち上がり部
２３      油受け部
【図１】
2013195049.tif 000003
【図２】
2013195049.tif 000004
【図３】
2013195049.tif 000005
【図４】
2013195049.tif 000006
【図５】
2013195049.tif 000007
【図６】
2013195049.tif 000008